(57)【要約】【課題】災害現場において災害情報や避難所の場所などの早期の避難判断を行うための判断材料を簡便に提供することができる情報提供装置、情報提供システム及び情報提供方法を提供することである。【解決手段】実施形態の情報提供装置は、メッセージ送受信部と、検索部とを持つ。メッセージ送受信部は、ユーザが所持する通信装置との間でコミュニケーションアプリによりメッセージのやり取りを行う。検索部は、前記通信装置からの問い合わせ、又は、前記通信装置の位置に応じて、災害時において避難判断を行うための判断材料となる避難支援情報を検索する。前記メッセージ送受信部は、検索結果をメッセージにより前記通信装置に送信する。【選択図】図１
2020060812.tif 000002
【特許請求の範囲】
【請求項１】
ユーザが所持する通信装置との間でコミュニケーションアプリによりメッセージのやり取りを行うメッセージ送受信部と、
前記通信装置からの問い合わせ、又は、前記通信装置の位置に応じて、災害時において避難判断を行うための判断材料となる避難支援情報を検索する検索部と、
を備え、
前記メッセージ送受信部は、検索結果をメッセージにより前記通信装置に送信する情報提供装置。
【請求項２】
問い合わせ内容に応じた回答があらかじめ登録された問い合わせ回答ファイルを記憶する提供情報記憶部をさらに備え、
前記検索部は、前記問い合わせ内容に応じて、前記問い合わせ回答ファイルを参照して前記避難支援情報を検索する、請求項１に記載の情報提供装置。
【請求項３】
前記検索部は、前記通信装置の位置から目的地までのルートを検索し、検索した前記ルート上に、迂回地点がある場合には迂回地点を迂回した迂回ルートを再度検索し、
前記メッセージ送受信部は、前記迂回ルートと、前記迂回地点における事情をメッセージにより前記通信装置に送信する、請求項１に記載の情報提供装置。
【請求項４】
情報を提供する情報提供システムにおいて、
収集したい情報の問い合わせを行う通信端末と、
前記通信端末からの問い合わせを受けて情報を提供する情報提供装置と、
を備え、
前記情報提供装置は、
ユーザが所持する通信装置との間でコミュニケーションアプリによりメッセージのやり取りを行うメッセージ送受信部と、
前記通信装置からの問い合わせ、又は、前記通信装置の位置に応じて、災害時において避難判断を行うための判断材料となる避難支援情報を検索する検索部と、
を備え、
前記メッセージ送受信部は、検索結果をメッセージにより前記通信装置に送信する情報提供システム。
【請求項５】
ユーザが所持する通信装置との間でコミュニケーションアプリによりメッセージのやり取りを行うメッセージ送受信ステップと、
前記通信装置からの問い合わせ、又は、前記通信装置の位置に応じて、災害時において避難判断を行うための判断材料となる避難支援情報を検索する検索ステップと、
を有し、
前記メッセージ送受信ステップにおいて、検索結果をメッセージにより前記通信装置に送信する情報提供方法。
【発明の詳細な説明】
【技術分野】
【０００１】
本発明の実施形態は、情報提供装置、情報提供システム及び情報提供方法に関する。
【背景技術】
【０００２】
災害発生時の被害を最小限に抑えるためには、被災者が、危険区域や避難所等の災害に関する情報を入手することが危険から身を守るうえで重要である。被災現場において災害に関する情報を得る方法として、スマートフォンやタブレット端末等の通信装置を用いて、Ｗｅｂ検索を行う方法がある。しかしながら、Ｗｅｂ検索では、操作に手間がかかってしまい、かつ、入手できる情報が膨大となってしまう。そのため、災害現場において、被災者自身が避難を行う上で必要な情報の取捨選択を行う必要があるが現実的には困難である。このように、従来では、災害現場において災害情報や避難所の場所などの早期の避難判断を行うための判断材料を簡便に取得することができない場合があった。
【先行技術文献】
【特許文献】
【０００３】
【特許文献１】特開２０１８−１０１８７９号公報
【特許文献２】特開２０１６−１４３０６７号公報
【特許文献３】特開２０１８−１２０２６３号公報
【発明の概要】
【発明が解決しようとする課題】
【０００４】
本発明が解決しようとする課題は、災害現場において災害情報や避難所の場所などの早期の避難判断を行うための判断材料を簡便に提供することができる情報提供装置、情報提供システム及び情報提供方法を提供することである。
【課題を解決するための手段】
【０００５】
実施形態の情報提供装置は、メッセージ送受信部と、検索部とを持つ。メッセージ送受信部は、ユーザが所持する通信装置との間でコミュニケーションアプリによりメッセージのやり取りを行う。検索部は、前記通信装置からの問い合わせ、又は、前記通信装置の位置に応じて、災害時において避難判断を行うための判断材料となる避難支援情報を検索する。前記メッセージ送受信部は、検索結果をメッセージにより前記通信装置に送信する。
【図面の簡単な説明】
【０００６】
【図１】実施形態の情報提供システムのシステム構成を示す図。
【図２】第１の実施形態における情報提供サーバの機能構成を表す概略ブロック図。
【図３】第１の実施形態における提供情報保持サーバの機能構成を表す概略ブロック図。
【図４】第１の実施形態における問い合わせ回答ファイルの一例を示す図。
【図５】第１の実施形態における観測局ファイルの一例を示す図。
【図６】第１の実施形態における情報提供システムが行う問い合わせに応じた処理の流れを示すシーケンス図。
【図７】第１の実施形態における情報提供システムが行う問い合わせに応じた処理の流れを示すシーケンス図。
【図８】情報提供サーバと利用者通信装置との間で行われるメッセージのやり取り画面の一例を示す図。
【図９】情報提供サーバと利用者通信装置との間で行われるメッセージのやり取り画面の一例を示す図。
【図１０】第２の実施形態における提供情報保持サーバの機能構成を表す概略ブロック図。
【図１１】第２の実施形態におけるイベント情報ファイルの一例を示す図。
【図１２】第２の実施形態における分割区域情報ファイルの一例を示す図。
【図１３】情報提供システムの管轄区域を分割区域情報ファイルに基づいて分割した一例を示す図。
【図１４】第２の実施形態における情報提供システムにおける情報提供処理の流れを示すシーケンス図。
【図１５】情報提供サーバと利用者通信装置との間で行われるメッセージのやり取り画面の一例を示す図。
【図１６】第２の実施形態の変形例として、別の場所の情報を知りたい場合の流れを示すシーケンス図。
【図１７】情報提供サーバと利用者通信装置との間で行われるメッセージのやり取り画面の一例を示す図。
【図１８】情報提供サーバと利用者通信装置との間で行われるメッセージのやり取り画面の一例を示す図。
【発明を実施するための形態】
【０００７】
以下、実施形態の情報提供装置、情報提供システム及び情報提供方法を、図面を参照して説明する。
図１は、実施形態の情報提供システム１のシステム構成を示す図である。
情報提供システム１は、災害時において早期の避難判断を行うための判断材料となる情報（以下「避難支援情報」という。）を提供するシステムである。避難支援情報とは、例えば、災害情報（例えば、発生している災害の内容、場所及び時刻）、避難所の情報、避難経路の情報、観測局の情報、ダムの情報、河川の情報、防災情報等である。
【０００８】
情報提供システム１は、情報提供サーバ１０、提供情報保持サーバ２０、災害情報収集サーバ３０、災害情報提供サーバ４０、及び利用者通信装置５０を備える。
情報提供サーバ１０は、ユーザが所持する利用者通信装置５０からの問い合わせ、又は、利用者通信装置５０の位置に応じて、避難支援情報を提供するサーバである。
提供情報保持サーバ２０は、避難支援情報の提供に必要となる情報を保持し、情報提供サーバ１０に対して要求に応じた情報を提供するサーバである。
【０００９】
災害情報収集サーバ３０は、国や自治体の災害情報を収集して蓄積するサーバである。災害情報収集サーバ３０は、蓄積している災害情報を提供情報保持サーバ２０及び災害情報提供サーバ４０に提供する。
災害情報提供サーバ４０は、災害情報収集サーバ３０から提供された災害情報を情報提供サーバ１０に情報提供、又は、利用者通信装置５０からの閲覧要求に応じて災害情報を利用者通信装置５０に情報提供するサーバである。
【００１０】
情報提供サーバ１０、提供情報保持サーバ２０、災害情報収集サーバ３０及び災害情報提供サーバ４０は、例えば、パーソナルコンピュータ等の情報処理装置を用いて構成される。なお、情報提供サーバ１０、提供情報保持サーバ２０、災害情報収集サーバ３０及び災害情報提供サーバ４０は、異なる筐体で構成される必要はなく、例えば１つの筐体で実現されてもよい。この場合、情報提供サーバ１０、提供情報保持サーバ２０、災害情報収集サーバ３０及び災害情報提供サーバ４０が１つの情報提供装置１００として実現されてもよい。
【００１１】
利用者通信装置５０は、情報提供サーバ１０との間でＳＮＳ（Social Networking Service）を利用してメッセージのやり取りを行う通信装置である。例えば、ＳＮＳは、ＬＩＮＥ（登録商標）、Ｆａｃｅｂｏｏｋ（登録商標）、Ｔｗｉｔｔｅｒ（登録商標）、ｍｉｘｉ、Ｉｎｓｔａｇｒａｍ等のようにテキスト形式の情報でメッセージのやり取りが可能なコミュニケーションアプリである。本実施形態では、ＳＮＳがＬＩＮＥ（登録商標）である場合を例に説明する。利用者通信装置５０は、ＬＩＮＥ（登録商標）のメッセージ機能により情報提供サーバ１０に対して問い合わせを行い、ユーザが所望する回答を取得する。また、利用者通信装置５０は、災害情報提供サーバ４０又はインターネット６０にアクセスして災害情報を取得する。利用者通信装置５０は、例えば、パーソナルコンピュータやタブレット端末等の情報処理装置を用いて構成される。
以下、各実施形態について詳細に説明していく。
【００１２】
（第１の実施形態）
まず、第１の実施形態について説明する。第１の実施形態は、市民から、発生している災害等の情報収集のための問い合わせに対し、問い合わせ内容を解析し、最適な情報を通知する実施の形態である。本実施の形態では、河川に関する情報と問い合わせを例として説明する。
図２は、第１の実施形態における情報提供サーバ１０の機能構成を表す概略ブロック図である。
情報提供サーバ１０は、バスで接続されたＣＰＵ（Central Processing Unit）やメモリや補助記憶装置などを備え、情報提供プログラムを実行する。情報提供プログラムの実行によって、情報提供サーバ１０は、メッセージ送受信部１１、メッセージ解析部１２、検索指示部１３、通信部１４を備える装置として機能する。なお、情報提供サーバ１０の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されてもよい。また、情報提供プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。また、情報提供プログラムは、電気通信回線を介して送受信されてもよい。
【００１３】
メッセージ送受信部１１は、利用者通信装置５０との間でＳＮＳによりメッセージを送受信する機能部である。メッセージ送受信部１１は、利用者通信装置５０から問い合わせのメッセージを受信し、受信したメッセージに応じた回答を利用者通信装置５０に送信する。
【００１４】
メッセージ解析部１２は、メッセージ送受信部１１によって受信されたメッセージを解析する機能部である。例えば、メッセージ解析部１２は、受信されたメッセージの内容が、検索が必要となる内容である場合には検索指示部１３に対して検索を要求する。また、メッセージ解析部１２は、受信されたメッセージの内容が、検索が必要ではない内容である場合にはメッセージの内容に応じた回答を行う。
【００１５】
検索指示部１３は、通信部１４を介して提供情報保持サーバ２０に対して、メッセージの応答に必要な情報の検索を指示する機能部である。
通信部１４は、提供情報保持サーバ２０及び災害情報提供サーバ４０との間で通信を行う機能部である。
【００１６】
図３は、第１の実施形態における提供情報保持サーバ２０の機能構成を表す概略ブロック図である。
提供情報保持サーバ２０は、バスで接続されたＣＰＵやメモリや補助記憶装置などを備え、提供情報保持プログラムを実行する。提供情報保持プログラムの実行によって、提供情報保持サーバ２０は、通信部２１、検索部２２、提供情報記憶部２３を備える装置として機能する。なお、提供情報保持サーバ２０の各機能の全て又は一部は、ＡＳＩＣやＰＬＤやＦＰＧＡ等のハードウェアを用いて実現されてもよい。また、提供情報保持プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。また、提供情報保持プログラムは、電気通信回線を介して送受信されてもよい。
【００１７】
通信部２１は、情報提供サーバ１０及び災害情報収集サーバ３０との間で通信を行う機能部である。通信部２１は、情報提供サーバ１０から送信されたメッセージを受信し、メッセージに応じた検索結果を情報提供サーバ１０に送信する。
検索部２２は、提供情報記憶部２３に記憶されている情報の中から、メッセージに応じた情報を検索する機能部である。
【００１８】
提供情報記憶部２３は、避難支援情報の提供に必要となる情報を記憶する機能部である。提供情報記憶部２３は、例えば、地図データ、問い合わせ回答ファイル及び観測局ファイルを記憶する。地図データは、位置情報と、地理情報（市町村、山、河川等の名称を含む）とを含むデータである。問い合わせ回答ファイルは、問い合わせ内容に応じた回答があらかじめ登録されたファイルである。観測局ファイルは、各地に設置された観測局に関する情報が登録されたファイルである。
【００１９】
図４は、第１の実施形態における問い合わせ回答ファイルの一例を示す図である。図4は河川に関する問い合わせのための回答ファイルの一例である。
図４に示す問い合わせ回答ファイルは、問い合わせ内容に応じた回答が登録されたレコード（以下「回答レコード」という。）を複数有する。回答レコードは、ケース毎に、観測局名の有無、市町村名の有無、河川名の有無、位置情報の有無、問い合わせ例及び回答の各値を有する。
ケースの値は、回答レコードを識別する番号を表す。
観測局名の有無の値は、情報を確認したい観測局の名称がメッセージに含まれるか否かを表す。
市町村名の有無の値は、情報を確認したい市町村の名称がメッセージに含まれるか否かを表す。
【００２０】
河川名の有無の値は、情報を確認したい河川の名称がメッセージに含まれるか否かを表す。
位置情報の有無の値は、問い合わせを行ってきた利用者の利用者通信装置５０の位置（例えば、緯度、経度）に関する情報が、問い合わせメッセージに含まれるか否かを表す。
問い合わせ例の値は、問い合わせ内容の一例を表す。
回答の値は、観測局名の有無、市町村名の有無、河川名の有無、位置情報の有無及び問い合わせ例の条件を満たす場合に出力する回答を表す。
【００２１】
図４に示される例では、問い合わせ回答ファイルには複数の回答レコードが登録されている。図４において、問い合わせ回答ファイルの最上段に登録されている回答レコードは、ケースの値が“１”、観測局名の有無の値が“×”、市町村名の有無の値が“×”、河川名の有無の値が“×”、位置情報の有無の値が“〇”、問い合わせ例の値が“川、河川”、回答の値が“○×観測局（※最寄の観測局）で表示したい内容を選択してください。”である。すなわち、利用者通信装置５０の位置情報があり、利用者通信装置５０から送信されたメッセージに観測局名、市町村名及び河川名が無く、“川”又は“河川”の内容が含まれる場合には、“○×観測局（※最寄の観測局）で表示したい内容を選択してください。”と出力することが表されている。
【００２２】
図５は、第１の実施形態における観測局ファイルの一例を示す図である。
図５に示す観測局ファイルは、観測局に関する情報が登録されたレコード（以下「観測局レコード」という。）を複数有する。観測局レコードは、観測局名、設置場所、観測項目、観測内容、及びＵＲＬ（Uniform Resource Locator）の各値を有する。
ケースの値は、回答レコードを識別する番号を表す。
観測局名の値は、観測局の名称を表す。
設置場所の値は、観測局が設置されている場所の位置情報を表す。
【００２３】
観測項目の値は、観測局が観測している項目を表す。観測局が観測している項目は、例えば水位、雨量、画像等である。
観測内容の値は、観測局が観測している項目の詳細な内容（河川名、水位の値、雨量の値、画像データ等）を表す。
ＵＲＬの値は、観測局の観測内容を見るためのアクセス先のアドレスを表す。
【００２４】
図６及び図７は、第１の実施形態における情報提供システム１が行う問い合わせに応じた処理の流れを示すシーケンス図である。
また、図８及び図９は、情報提供サーバと利用者通信装置との間で行われるメッセージのやり取り画面の一例を示す図である。
以下、図６及び図７に示すシーケンス図の処理と、図８及び図９に示す利用者通信装置５０の画面上に表示されるメッセージのやり取りとを対応付けて説明する。
図６のステップＳ１０１において、ユーザは、利用者通信装置５０を操作して情報提供システム１に対する問い合わせ内容を入力する。図６では、ユーザは、問い合わせ内容として“川”と入力したとする。この処理により、図８に示すように、利用者通信装置５０の画面上には、問い合わせ内容である“川”のメッセージ７１１が表示される。利用者通信装置５０は、入力された“川”を含むメッセージを生成し、生成したメッセージを情報提供サーバ１０に送信する。
【００２５】
ステップＳ１０２において、情報提供サーバ１０のメッセージ送受信部１１は、利用者通信装置５０から送信されたメッセージを受信する。メッセージ送受信部１１は、受信したメッセージをメッセージ解析部１２に出力する。メッセージ解析部１２は、メッセージに含まれる“川”の単語から、問い合わせされているジャンルを“河川”と決定する。その後、メッセージ送受信部１１は、メッセージを受信した旨の通知を利用者通信装置５０に返信する。
【００２６】
ステップＳ１０３において、利用者通信装置５０は、情報提供サーバ１０からメッセージを受信した旨の通知を受信すると、自装置の設定が位置情報を自動で取得する設定になっているか否かを判定する。自装置の設定が位置情報を自動で取得する設定になっている場合（ステップＳ１０３−ＹＥＳ）、利用者通信装置５０は位置情報を取得して、取得した位置情報を情報提供サーバ１０に送信する。一方、自装置の設定が位置情報を自動で取得する設定になっていない場合（ステップＳ１０３−ＮＯ）、利用者通信装置５０は画面上に手動により位置情報を送信させる旨の表示を行う。この時、手動により位置情報を送信させる旨の表示は、位置情報を付加するための具体的な操作方法を表示すると、なおよい。図６及び図７のシーケンス図では、利用者通信装置５０の設定が位置情報を自動で取得する設定になっているものとする。
【００２７】
ステップＳ１０４において、ユーザによって位置情報を送信する旨の指示がなされると、利用者通信装置５０は位置情報を取得して、取得した位置情報を情報提供サーバ１０に送信する。
ステップＳ１０５において、情報提供サーバ１０のメッセージ送受信部１１は、利用者通信装置５０から送信された位置情報を受信する。メッセージ送受信部１１は、受信した位置情報を、メッセージ解析部１２を介して検索指示部１３に出力する。検索指示部１３は、取得した位置情報で特定される位置の最寄りの観測局の観測項目の検索指示を生成する。そして、検索指示部１３は、通信部１４を介して、生成した検索指示を提供情報保持サーバ２０に対して送信する。
【００２８】
ステップＳ１０６において、提供情報保持サーバ２０の通信部２１は、情報提供サーバ１０から送信された検索指示を受信する。通信部２１は、受信した検索指示を検索部２２に出力する。検索部２２は、検索指示にしたがって、提供情報記憶部２３に記憶されている問い合わせ回答ファイルを参照し、位置情報で特定される位置の最寄りの観測局の項目を検索する。検索部２２は、通信部２１を介して検索結果を情報提供サーバ１０に送信する。例えば、検索結果には、水位、雨量、画像の情報が含まれる。メッセージ送受信部１１は、提供情報保持サーバ２０から送信された検索結果を利用者通信装置５０に送信する。
【００２９】
ステップＳ１０７において、利用者通信装置５０は、情報提供サーバ１０から送信された最寄りの観測局の観測項目の検索結果を表示する。この処理により、図８に示すように、利用者通信装置５０の画面上には、“川”のメッセージ７１１の下に、最寄りの観測局（図８では、〇×観測局）の観測項目、例えば、水位、雨量、画像及びその他の項目が表示される。
【００３０】
ステップＳ１０８において、ユーザは、利用者通信装置５０の表示画面上に表示された複数の項目のうち所望の項目を選択する。ここでユーザが、“その他”を選択したとする。この処理により、図８に示すように、利用者通信装置５０の画面上には、“その他”のメッセージ７１１が追加で表示される。利用者通信装置５０は、選択された“その他”を含むメッセージを生成し、生成したメッセージを情報提供サーバ１０に送信する。なお、選択の方法は、画面上に表示された文字を選択してもよいし、文字入力することによって実行されてもよい。利用者通信装置５０は、選択された“画像”を含むメッセージを生成し、生成したメッセージを情報提供サーバ１０に送信する。
【００３１】
ステップＳ１０９において、メッセージ送受信部１１は、利用者通信装置５０から送信されたメッセージを受信する。メッセージ送受信部１１は、受信したメッセージをメッセージ解析部１２に出力する。メッセージ解析部１２は、メッセージに含まれる“その他”から、検索指示部１３に対して、利用者通信装置５０の位置から半径○ｋｍ以内の河川を検索させるように指示する。検索指示部１３は、利用者通信装置５０の位置から半径○ｋｍ以内の河川を検索する旨の検索指示を生成する。そして、検索指示部１３は、通信部１４を介して、生成した検索指示を提供情報保持サーバ２０に対して送信する。
【００３２】
ステップＳ１１０において、提供情報保持サーバ２０の通信部２１は、情報提供サーバ１０から送信された検索指示を受信する。通信部２１は、受信した検索指示を検索部２２に出力する。検索部２２は、検索指示にしたがって、提供情報記憶部２３に記憶されている地図データを参照し、利用者通信装置５０の位置から半径○ｋｍ以内の河川を全て検索する。検索部２２は、通信部２１を介して検索結果を情報提供サーバ１０に送信する。例えば、検索結果には、利用者通信装置５０の位置から半径○ｋｍ以内にある全ての河川の情報（例えば、Ｘ川、Ｙ川、Ｚ川）が含まれるものとする。メッセージ送受信部１１は、提供情報保持サーバ２０から送信された検索結果を利用者通信装置５０に送信する。
【００３３】
ステップＳ１１１において、利用者通信装置５０は、情報提供サーバ１０から送信された検索結果に含まれる河川の情報を表示する。この処理により、図８に示すように、利用者通信装置５０の画面上には、“その他”のメッセージ７１１の下に、利用者通信装置５０の位置から半径○ｋｍ以内にある全ての河川の情報、例えば、Ｘ川、Ｙ川、Ｚ川及びその他の項目が表示される。
【００３４】
図７のステップＳ１１２において、ユーザは、利用者通信装置５０の表示画面上に表示された複数の項目のうち所望の項目を選択する。ここでユーザが、“Ｘ川”を選択したとする。この処理により、図８に示すように、利用者通信装置５０の画面上には、“Ｘ川”のメッセージ７１１が追加で表示される。利用者通信装置５０は、選択された“Ｘ川”を含むメッセージを生成し、生成したメッセージを情報提供サーバ１０に送信する。
【００３５】
ステップＳ１１３において、メッセージ送受信部１１は、利用者通信装置５０から送信されたメッセージを受信する。メッセージ送受信部１１は、受信したメッセージをメッセージ解析部１２に出力する。メッセージ解析部１２は、メッセージに含まれる“Ｘ川”から、検索指示部１３に対して、“Ｘ川”を観測する観測局を検索させるように指示する。検索指示部１３は、“Ｘ川”を観測する観測局を検索する旨の検索指示を生成する。そして、検索指示部１３は、通信部１４を介して、生成した検索指示を提供情報保持サーバ２０に対して送信する。
【００３６】
ステップＳ１１４において、提供情報保持サーバ２０の通信部２１は、情報提供サーバ１０から送信された検索指示を受信する。通信部２１は、受信した検索指示を検索部２２に出力する。検索部２２は、検索指示にしたがって、提供情報記憶部２３に記憶されている観測局ファイルを参照し、“Ｘ川”を観測する観測局を全て検索する。検索部２２は、通信部２１を介して検索結果を情報提供サーバ１０に送信する。例えば、検索結果には、“Ｘ川”を観測する全ての観測局の情報（例えば、Ａ局、Ｂ局、Ｃ局、Ｄ局、Ｅ局）が含まれるものとする。メッセージ送受信部１１は、提供情報保持サーバ２０から送信された検索結果を利用者通信装置５０に送信する。
【００３７】
ステップＳ１１５において、利用者通信装置５０は、情報提供サーバ１０から送信された検索結果に含まれる“Ｘ川”を観測する全ての観測局の情報を表示する。この処理により、図８に示すように、利用者通信装置５０の画面上には、“Ｘ川”のメッセージ７１１の下に、“Ｘ川”を観測する全ての観測局の情報、例えば、Ａ局、Ｂ局、Ｃ局、Ｄ局、Ｅ局及びその他の項目が表示される。
【００３８】
ステップＳ１１６において、ユーザは、利用者通信装置５０の表示画面上に表示された複数の項目のうち所望の項目を選択する。ここでユーザが、“Ａ局”を選択したとする。この処理により、図９に示すように、利用者通信装置５０の画面上には、“Ａ局”のメッセージ７１１が追加で表示される。利用者通信装置５０は、選択された“Ａ局”を含むメッセージを生成し、生成したメッセージを情報提供サーバ１０に送信する。
【００３９】
ステップＳ１１７において、メッセージ送受信部１１は、利用者通信装置５０から送信されたメッセージを受信する。メッセージ送受信部１１は、受信したメッセージをメッセージ解析部１２に出力する。メッセージ解析部１２は、メッセージに含まれる“Ａ局”から、検索指示部１３に対して、“Ａ局”の観測項目を検索させるように指示する。検索指示部１３は、“Ａ局”の観測項目を検索する旨の検索指示を生成する。そして、検索指示部１３は、通信部１４を介して、生成した検索指示を提供情報保持サーバ２０に対して送信する。
【００４０】
ステップＳ１１８において、提供情報保持サーバ２０の通信部２１は、情報提供サーバ１０から送信された検索指示を受信する。通信部２１は、受信した検索指示を検索部２２に出力する。検索部２２は、検索指示にしたがって、提供情報記憶部２３に記憶されている観測局ファイルを参照し、“Ａ局”の観測項目を検索する。検索部２２は、通信部２１を介して検索結果を情報提供サーバ１０に送信する。例えば、検索結果には、水位、雨量、画像の情報が含まれる。メッセージ送受信部１１は、提供情報保持サーバ２０から送信された検索結果を利用者通信装置５０に送信する。
【００４１】
ステップＳ１１９において、利用者通信装置５０は、情報提供サーバ１０から送信された“Ａ局”の観測項目の検索結果を表示する。この処理により、図９に示すように、利用者通信装置５０の画面上には、“Ａ局”のメッセージ７１１の下に、“Ａ局”の観測項目“Ａ局”の観測項目、例えば、水位、雨量、画像及びその他の項目が表示される。
【００４２】
ステップＳ１２０において、ユーザは、利用者通信装置５０の表示画面上に表示された複数の項目のうち所望の項目を選択する。ここでユーザが、“画像”を選択したとする。この処理により、図９に示すように、利用者通信装置５０の画面上には、“画像”のメッセージ７１１が追加で表示される。
【００４３】
ステップＳ１２１において、メッセージ送受信部１１は、利用者通信装置５０から送信されたメッセージを受信する。メッセージ送受信部１１は、受信したメッセージをメッセージ解析部１２に出力する。メッセージ解析部１２は、メッセージに含まれる“画像”から、検索指示部１３に対して、“Ａ局”で撮像された画像と、画像のＵＲＬとを検索させるように指示する。検索指示部１３は、“Ａ局”で撮像された画像と、画像のＵＲＬとを検索する旨の検索指示を生成する。そして、検索指示部１３は、通信部１４を介して、生成した検索指示を提供情報保持サーバ２０に対して送信する。
【００４４】
ステップＳ１２２において、提供情報保持サーバ２０の通信部２１は、情報提供サーバ１０から送信された検索指示を受信する。通信部２１は、受信した検索指示を検索部２２に出力する。検索部２２は、検索指示にしたがって、提供情報記憶部２３に記憶されている観測局ファイルを参照し、“Ａ局”で撮像された画像と、画像のＵＲＬとを検索する。検索部２２は、通信部２１を介して検索結果を情報提供サーバ１０に送信する。メッセージ送受信部１１は、提供情報保持サーバ２０から送信された検索結果を利用者通信装置５０に送信する。
【００４５】
ステップＳ１２３において、利用者通信装置５０は、情報提供サーバ１０から送信された検索結果に含まれる“Ａ局”で撮像された画像と、画像のＵＲＬを表示する。この処理により、図９に示すように、利用者通信装置５０の画面上には、“画像”のメッセージ７１１の下に、“Ａ局”で撮像された画像と、画像のＵＲＬが表示される。
【００４６】
以上のように構成された第１の実施形態における情報提供システム１によれば、ユーザから問い合わせがあった際、問い合わせ内容を解析し、最適な情報を通知することができる。具体的には、情報提供システム１は、ユーザの周辺における観測局や河川の情報を単純なメッセージのやり取りで提供することができる。そのため、災害現場において早期の避難判断を行うための判断材料を簡便に提供することが可能になる。
【００４７】
本実施の形態では、河川に関する情報の問い合わせの例を説明したが、問い合わせの例はこれに限られない。例えば、問い合わせ内容としては、道路、鉄道等の交通機関、がけ崩れ等の情報であってもよい。この場合も、ユーザが、問い合わせしたい位置を入力することで、所望の情報を入手することができる。
【００４８】
（第１の実施形態の変形例）
図６では、位置情報は自動または手動で入力しているが、必ずしも利用者通信装置５０の現在位置情報に基づいて、利用者通信装置５０が位置している付近の情報を検索して提示するのではなく、ユーザが利用者通信装置５０を操作して遠方の任意の場所を入力して、提供情報保持サーバ２０が任意に入力された場所に関する、河川等の情報を提供するように構成されてもよい。
このような状況が想定されるケースは、ユーザが現在いる場所から離れた場所の情報を知りたい場合である。具体例としては、遠方に住んでいる家族又は親戚等の親族、知人がいる場所付近の情報を知りたい場合や、旅行を予定している旅行先の状況を知りたい場合や、目的までの移動中の途中の経路の状況を知りたい場合や、会社等のように自宅から離れた場所にいる時に自宅付近の情報を知りたい場合である。
なお、位置情報が入力された後の動作は、図６及び図７の流れと同様である。
【００４９】
（第２の実施形態）
第２の実施形態は、災害発生時の避難所の検索、及び避難ルートに関する情報を提供する実施の形態である。以下、第１の実施形態と異なる点についてのみ説明する。
【００５０】
図１０は、第２の実施形態における提供情報保持サーバ２０ａの機能構成を表す概略ブロック図である。
提供情報保持サーバ２０ａは、提供情報記憶部２３に代えて提供情報記憶部２３ａを備える点、イベント情報取得部２４を新たに備える点で提供情報保持サーバ２０と構成が異なる。提供情報保持サーバ２０ａは、他の構成については提供情報保持サーバ２０と同様である。そのため、提供情報保持サーバ２０ａ全体の説明は省略し、提供情報記憶部２３ａ及びイベント情報取得部２４について説明する。
【００５１】
提供情報保持サーバ２０ａは、バスで接続されたＣＰＵやメモリや補助記憶装置などを備え、提供情報保持プログラムを実行する。提供情報保持プログラムの実行によって、提供情報保持サーバ２０ａは、通信部２１、検索部２２、提供情報記憶部２３ａ及びイベント情報取得部２４を備える装置として機能する。なお、提供情報保持サーバ２０ａの各機能の全て又は一部は、ＡＳＩＣやＰＬＤやＦＰＧＡ等のハードウェアを用いて実現されてもよい。また、提供情報保持プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。また、提供情報保持プログラムは、電気通信回線を介して送受信されてもよい。
【００５２】
イベント情報取得部２４は、イベントに関する情報（以下「イベント情報」という。）を取得する機能部である。イベントとは、崖崩れ、火災、浸水、通行止め等の災害、避難所の設置等の不定期なタイミングで発生する事象を表す。イベント情報取得部２４は、例えば、災害情報収集サーバ３０からイベント情報を取得してもよいし、管理者からの手入力によりイベント情報を取得してもよい。イベント情報取得部２４は、取得したイベント情報を提供情報記憶部２３ａに記憶する。
【００５３】
提供情報記憶部２３ａは、避難支援情報の提供に必要となる情報を記憶する機能部である。提供情報記憶部２３ａは、例えば、地図データ、問い合わせ回答ファイル、観測局ファイル、イベント情報ファイル及び分割区域情報ファイルを記憶する。地図データ、問い合わせ回答ファイル及び観測局ファイルは、第１の実施形態で説明したため、省略する。イベント情報ファイルは、イベント情報取得部２４によって取得されたイベント情報が登録されたファイルである。分割区域情報ファイルは、情報提供システム１の管轄区域を所定の区間に分割するための情報が登録されたファイルである。
【００５４】
図１１は、第２の実施形態におけるイベント情報ファイルの一例を示す図である。
図１１に示すイベント情報ファイルは、イベント情報が登録されたレコード（以下「イベント情報レコード」という。）を複数有する。イベント情報レコードは、イベント、発生場所、内容及びＵＲＬの各値を有する。
イベントの値は、実際に発生しているイベント（災害の種類等）を表す。
発生場所の値は、イベントが発生している場所の位置情報を表す。
内容の値は、発生しているイベントの詳細な内容を表す。例えば、内容として、どの河川で浸水が発生しているのか、道路で通行止めが発生しているか、避難所の運営状況等の内容を表す。
ＵＲＬの値は、イベントの内容を見るためのアクセス先のアドレスを表す。
【００５５】
図１２は、第２の実施形態における分割区域情報ファイルの一例を示す図である。
図１２に示す分割区域情報ファイルは、分割区域が登録されたレコード（以下「分割区域情報レコード」という。）を複数有する。分割区域情報レコードは、分割区域及び区域内に属する観測局や河川の各値を有する。
分割区域の値は、分割する区域の領域を表す。例えば、分割区域は、町や番地ごと、一定半径で円形状、格子状等のように所定の領域を表す。本実施形態では、格子状とする。
区域内に属する観測局や河川の値は、分割区域内に属する観測局や河川の名称を表す。
【００５６】
図１３は、情報提供システム１の管轄区域を分割区域情報ファイルに基づいて分割した一例を示す図である。
図１３に示すように、管轄区域を複数の領域に分割することによってどの区域にどの観測局や河川が属するのか明確になる。これにより、１つの分割区域単位で情報を提供することができる。
【００５７】
図１４は、第２の実施形態における情報提供システム１における情報提供処理の流れを示すシーケンス図である。
また、図１５は、情報提供サーバと利用者通信装置との間で行われるメッセージのやり取り画面の一例を示す図である。
ここで、図１４に示すシーケンス図の処理と、図１５に示す利用者通信装置５０の画面上に表示されるメッセージのやり取りとを対応付けて説明する。
【００５８】
図１４のステップＳ２０１において、ユーザは、利用者通信装置５０を操作して情報提供システム１に対する問い合わせ内容を入力する。図１４では、ユーザは、問い合わせ内容として“避難”と入力したとする。この処理により、図１５に示すように、利用者通信装置５０の画面上には、問い合わせ内容である“避難”のメッセージ７１１が表示される。利用者通信装置５０は、入力された“避難”を含むメッセージを生成し、生成したメッセージを情報提供サーバ１０に送信する。
【００５９】
ステップＳ２０２において、情報提供サーバ１０のメッセージ送受信部１１は、利用者通信装置５０から送信されたメッセージを受信する。メッセージ送受信部１１は、受信したメッセージをメッセージ解析部１２に出力する。メッセージ解析部１２は、メッセージに含まれる“避難”の単語から、問い合わせされているジャンルを決定する。この場合、メッセージ解析部１２は、問い合わせされているジャンルを“避難所”と決定する。その後、メッセージ送受信部１１は、メッセージを受信した旨の通知を利用者通信装置５０に返信する。
【００６０】
ステップＳ２０３において、利用者通信装置５０は、情報提供サーバ１０から通知を受信すると、自装置の設定が位置情報を自動で取得する設定になっているか否かを判定する。自装置の設定が位置情報を自動で取得する設定になっている場合（ステップＳ２０３−ＹＥＳ）、利用者通信装置５０は位置情報を取得して、取得した位置情報を情報提供サーバ１０に送信する。一方、自装置の設定が位置情報を自動で取得する設定になっていない場合（ステップＳ２０３−ＮＯ）、利用者通信装置５０は画面上に手動により位置情報を送信させる旨の表示を行う。図１４のシーケンス図では、利用者通信装置５０の設定が位置情報を自動で取得する設定になっていないものとする。この場合、図１５に示すように、利用者通信装置５０の画面上には、“避難”のメッセージ７１１の下に、位置情報を送信させる旨のメッセージが表示される。
【００６１】
ステップＳ２０４において、ユーザによって位置情報を送信する旨の指示がなされると、利用者通信装置５０は位置情報を取得して、取得した位置情報を情報提供サーバ１０に送信する。具体的には、ユーザによって、画面上に表示されたメッセージに従って位置情報を送信する旨の指示がなされると、利用者通信装置５０は位置情報を取得して、取得した位置情報を情報提供サーバ１０に送信する。この処理により、図１５に示すように、利用者通信装置５０の画面上には、利用者通信装置５０の位置情報を送信した旨のメッセージ７１１が表示される。
【００６２】
ステップＳ２０５において、情報提供サーバ１０のメッセージ送受信部１１は、利用者通信装置５０から送信された位置情報を受信する。メッセージ送受信部１１は、受信した位置情報を、メッセージ解析部１２を介して検索指示部１３に出力する。検索指示部１３は、取得した位置情報で特定される位置の最寄りの避難所の検索指示を生成する。そして、検索指示部１３は、通信部１４を介して、生成した検索指示を提供情報保持サーバ２０ａに対して送信する。
【００６３】
ステップＳ２０６において、提供情報保持サーバ２０ａの通信部２１は、情報提供サーバ１０から送信された検索指示を受信する。通信部２１は、受信した検索指示を検索部２２に出力する。検索部２２は、検索指示にしたがって、提供情報記憶部２３ａに記憶されているイベント情報ファイルを参照し、位置情報で特定される位置の最寄りの避難所を検索する。検索部２２は、通信部２１を介して検索結果を情報提供サーバ１０に送信する。例えば、検索結果には、避難所の項目（例えば、運営状況、場所）が含まれる。メッセージ送受信部１１は、提供情報保持サーバ２０ａから送信された検索結果を利用者通信装置５０に送信する。
【００６４】
ステップＳ２０７において、利用者通信装置５０は、情報提供サーバ１０から送信された最寄りの避難所の項目の検索結果を表示する。この処理により、図１５に示すように、利用者通信装置５０の画面上には、“位置情報”のメッセージ７１１の下に、最寄りの避難所（図１５では、〇×避難所）の項目、例えば、運営状況、場所の項目が表示される。
【００６５】
ステップＳ２０８において、ユーザは、利用者通信装置５０の表示画面上に表示された複数の項目のうち所望の項目を選択する。ここでユーザが、“運営状況”を選択したとする。この処理により、図１５に示すように、利用者通信装置５０の画面上には、“運営状況”のメッセージ７１１が追加で表示される。利用者通信装置５０は、選択された“運営状況”を含むメッセージを生成し、生成したメッセージを情報提供サーバ１０に送信する。
【００６６】
ステップＳ２０９において、メッセージ送受信部１１は、利用者通信装置５０から送信されたメッセージを受信する。メッセージ送受信部１１は、受信したメッセージをメッセージ解析部１２に出力する。メッセージ解析部１２は、メッセージに含まれる“運営状況”から、検索指示部１３に対して、最寄りの避難所の運営状況と、避難所のＵＲＬとを検索させるように指示する。検索指示部１３は、最寄りの避難所の運営状況と、避難所のＵＲＬとを検索する旨の検索指示を生成する。そして、検索指示部１３は、通信部１４を介して、生成した検索指示を提供情報保持サーバ２０ａに対して送信する。
【００６７】
ステップＳ２１０において、提供情報保持サーバ２０ａの通信部２１は、情報提供サーバ１０から送信された検索指示を受信する。通信部２１は、受信した検索指示を検索部２２に出力する。検索部２２は、検索指示にしたがって、提供情報記憶部２３ａに記憶されているイベント情報ファイルを参照し、最寄りの避難所の運営状況と、避難所のＵＲＬを検索する。検索部２２は、通信部２１を介して検索結果を情報提供サーバ１０に送信する。メッセージ送受信部１１は、提供情報保持サーバ２０ａから送信された検索結果を利用者通信装置５０に送信する。
【００６８】
ステップＳ２１１において、利用者通信装置５０は、情報提供サーバ１０から送信された検索結果に含まれる避難所の運営状況と、避難所のＵＲＬを表示する。この処理により、図１５に示すように、利用者通信装置５０の画面上には、“運営状況”のメッセージ７１１の下に、避難所の運営状況と、避難所のＵＲＬが表示される。
【００６９】
（第２の実施形態の第１の変形例）
第２の実施形態の変形例として、別の場所の状況を知りたい場合の動作について、説明する。
図１６は、第２の実施形態の変形例として、別の場所の情報を知りたい場合の流れを示すシーケンス図である。
また、図１７及び図１８は、情報提供サーバと利用者通信装置との間で行われるメッセージのやり取り画面の一例を示す図である。
なお、図１６では、図１４のステップＳ２０８の処理で“場所”が選択された場合の処理について説明する。また、図１６に示すシーケンス図の処理と、図１７及び図１８に示す利用者通信装置５０の画面上に表示されるメッセージのやり取りとを対応付けて説明する。
【００７０】
ステップＳ３０１において、ユーザは、利用者通信装置５０の表示画面上に表示された複数の項目のうち所望の項目を選択する。ここでユーザが、“場所”を選択したとする。この処理により、図１７に示すように、利用者通信装置５０の画面上には、“場所”のメッセージ７１１が追加で表示される。利用者通信装置５０は、選択された“場所”を含むメッセージを生成し、生成したメッセージを情報提供サーバ１０に送信する。
【００７１】
ステップＳ３０２において、メッセージ送受信部１１は、利用者通信装置５０から送信されたメッセージを受信する。メッセージ送受信部１１は、受信したメッセージをメッセージ解析部１２に出力する。メッセージ解析部１２は、メッセージに“場所”の情報が含まれる場合、メッセージ送受信部１１を介して、利用者通信装置５０に対して現時点から選択された場所までの移動方法を提示する。提示する移動方法には、例えば徒歩、自動車、交通機関等が含まれる。
【００７２】
ステップＳ３０３において、利用者通信装置５０は、情報提供サーバ１０から送信された移動方法の情報を表示する。この処理により、図１７に示すように、利用者通信装置５０の画面上には、“場所”のメッセージ７１１の下に、移動方法の情報、例えば、徒歩、自動車及び交通機関の項目が表示される。
【００７３】
ステップＳ３０４において、ユーザは、利用者通信装置５０の表示画面上に表示された複数の項目のうち所望の項目を選択する。ここでユーザが、“交通機関”を選択したとする。この処理により、図１７に示すように、利用者通信装置５０の画面上には、“交通機関”のメッセージ７１１が追加で表示される。利用者通信装置５０は、選択された“交通機関”を含むメッセージを生成し、生成したメッセージを情報提供サーバ１０に送信する。
【００７４】
ステップＳ３０５において、メッセージ送受信部１１は、利用者通信装置５０から送信されたメッセージを受信する。メッセージ送受信部１１は、受信したメッセージをメッセージ解析部１２に出力する。メッセージ解析部１２は、メッセージに含まれる“交通機関”から、検索指示部１３に対して、指定された“交通機関”を利用して、利用者通信装置５０の現在位置から選択された場所までのルートを検索させるように指示する。検索指示部１３は、指定された“交通機関”を利用して、利用者通信装置５０の現在位置から選択された場所までのルートを検索する旨の検索指示を生成する。そして、検索指示部１３は、通信部１４を介して、生成した検索指示を提供情報保持サーバ２０ａに対して送信する。
【００７５】
ステップＳ３０６において、提供情報保持サーバ２０ａの通信部２１は、情報提供サーバ１０から送信された検索指示を受信する。通信部２１は、受信した検索指示を検索部２２に出力する。検索部２２は、検索指示にしたがって、提供情報記憶部２３ａに記憶されている地図データを参照し、利用者通信装置５０の現在位置から選択された場所までの最適なルートを検索する。ここで、最適なルートとは、例えば移動距離が最短のルートである。なお、検索部２２は、イベント情報ファイルを参照し、検索された最適なルート上に、交通機関が利用できない区間、災害（例えば、洪水、土砂崩れ、通行止め等）等の迂回地点があるか否かを検索する。検索された最適なルート上に、交通機関が利用できない区間、災害（例えば、洪水、土砂崩れ、通行止め等）等の迂回地点がある場合、迂回地点がある旨を検索結果に含める。検索部２２は、通信部２１を介して検索結果を情報提供サーバ１０に送信する。
【００７６】
ステップＳ３０７において、情報提供サーバ１０の通信部１４は、提供情報保持サーバ２０ａから送信された検索結果を受信する。通信部１４は、受信した検索結果をメッセージ送受信部１１に出力する。メッセージ送受信部１１は、最適なルート上に、交通機関が利用できない区間、災害（例えば、洪水、土砂崩れ、通行止め等）等の迂回地点があるか否かを判定する。迂回地点がある旨の通知が検索結果に含まれる場合、メッセージ送受信部１１は迂回地点があると判定する。一方、迂回地点がある旨の通知が検索結果に含まれない場合、メッセージ送受信部１１は迂回地点がないと判定する。
【００７７】
迂回地点がない場合（ステップＳ３０７−ＮＯ）、メッセージ送受信部１１は最適なルートの情報を含む検索結果を利用者通信装置５０に送信する。一方、迂回地点がある場合（ステップＳ３０７−ＹＥＳ）、メッセージ送受信部１１はステップＳ３０８の処理を行う。
【００７８】
ステップＳ３０８において、検索指示部１３は、迂回地点を迂回したルートを検索する旨の検索指示を生成する。そして、検索指示部１３は、通信部１４を介して、生成した検索指示を提供情報保持サーバ２０ａに対して送信する。
【００７９】
ステップＳ３０９において、提供情報保持サーバ２０ａの通信部２１は、情報提供サーバ１０から送信された検索指示を受信する。通信部２１は、受信した検索指示を検索部２２に出力する。検索部２２は、検索指示にしたがって、提供情報記憶部２３ａに記憶されている地図データを参照し、迂回地点を迂回したルートを検索する。検索部２２は、通信部２１を介して検索結果を情報提供サーバ１０に送信する。例えば、検索結果には、迂回地点を迂回したルート、迂回地点の内容及び詳細情報のＵＲＬが含まれるものとする。メッセージ送受信部１１は、提供情報保持サーバ２０ａから送信された検索結果を利用者通信装置５０に送信する。
【００８０】
ステップＳ３１０において、利用者通信装置５０は、情報提供サーバ１０から送信されたルートの情報を表示する。例えば、情報提供サーバ１０から送信されたルートの情報に迂回ルートの情報が含まれない場合、利用者通信装置５０は、最適なルートの情報を表示する。この場合、図１７に示すように、利用者通信装置５０の画面上には、最適なルートの情報が表示される。一方、情報提供サーバ１０から送信されたルートの情報に迂回ルートの情報が含まれる場合、利用者通信装置５０は、迂回地点を迂回したルート、迂回地点の内容及び詳細情報のＵＲＬの情報を表示する。この場合、図１８に示すように、利用者通信装置５０の画面上には、迂回地点を迂回したルート、迂回地点の内容及び詳細情報のＵＲＬの情報が表示される。
【００８１】
以上のように構成された第２の実施形態における情報提供システム１によれば、ユーザから問い合わせがあった際、ユーザの利用者通信装置５０の位置情報に基づいて目的地までの最適なルートの情報を提供することができる。また、最適なルート上に、迂回地点があった場合には迂回地点を迂回したルートの情報を提供することができる。そのため、災害現場において災害情報や避難所の場所などの早期の避難判断を行うための判断材料を簡便に提供することが可能になる。
【００８２】
（第２の実施形態の第２の変形例）
イベント情報取得部２４は、イベント情報ファイルに登録されているイベントが終了した場合には、終了したイベントに対応するイベント情報レコードを削除するように構成されてもよい。
【００８３】
（第３の実施形態）
第３の実施形態は、提供情報保持サーバ２０、災害情報収集サーバ３０、災害情報提供サーバ４０及びインターネット６０等から情報を収集、解析を行い、基準値に測定値が達した際や、情報の入電をトリガに自動でユーザに情報を提供する実施の形態である。
第３の実施形態において、提供情報保持サーバ２０は、通知を行うトリガとなる基準値とその基準値に達した際の定型通知メッセージ、詳細を閲覧することのできるＵＲＬが対応付けられた異常時通知ファイルを保持する。
【００８４】
また、第３の実施形態において、情報提供サーバ１０は、以下に示すいずれかの条件が満たされた場合に情報を提供する。
（条件１）：防災無線情報が防災無線装置に入電した場合
条件１が満たされた場合、情報提供サーバ１０のメッセージ送受信部１１は、詳細な内容及び詳細ＵＲＬを少なくとも含む情報を避難支援情報として全ユーザに対して送信する。
【００８５】
（条件２）：避難準備情報、避難勧告、避難指示が発令された場合
条件２が満たされた場合、情報提供サーバ１０のメッセージ送受信部１１は、詳細な内容、注意喚起のメッセージ及び詳細ＵＲＬを少なくとも含む情報を避難支援情報として全ユーザに対して送信する。
【００８６】
（条件３）：水防団待機水位、氾濫注意水位、避難判断水位、氾濫危険水位などに達した場合
条件３が満たされた場合、情報提供サーバ１０のメッセージ送受信部１１は、水位などのデータやＣＣＴＶの画像や映像、注意喚起のメッセージ、詳細ＵＲＬを少なくとも含む情報を避難支援情報として全ユーザに対して送信する。
【００８７】
（条件４）：ダムの放流が決定、ダムの放流が開始した場合
条件４が満たされた場合、情報提供サーバ１０のメッセージ送受信部１１は、詳細な内容や注意喚起のメッセージ、詳細ＵＲＬを少なくとも含む情報を避難支援情報として全ユーザに対して送信する。
【００８８】
（条件５）：大きな気象の変化があったときや光化学スモッグなどの注意報が発令されている場合
条件５が満たされた場合、情報提供サーバ１０のメッセージ送受信部１１は、詳細な内容、詳細ＵＲＬを少なくとも含む情報を避難支援情報として全ユーザに対して送信する。
【００８９】
以上のように構成された第３の実施形態における情報提供システム１によれば、異常時において自動で異常通報の情報を提供することもできる。これにより、利便性を向上させることができる。
【００９０】
（第４の実施形態）
第４の実施形態は、日時と、通知内容とを事前に設定し、全ユーザもしくは希望するユーザに対して情報を提供する実施の形態である。
第４の実施形態において、提供情報保持サーバ２０は、定時に通知する情報と詳細ＵＲＬ、又は、イベントなどの通知内容と詳細ＵＲＬと、その情報を通知する日時が対応付けられた平常時通知ファイルを保持する。
【００９１】
また、第４の実施形態において、情報提供サーバ１０のメッセージ送受信部１１は、管轄区域での気象情報(今日の天気、明日の天気)などの定期的に必要となる情報を定時に全ユーザもしくは希望するユーザに対して送信する。
また、メッセージ送受信部１１は、管轄区域での年間行事などの行事情報を、平常時通知ファイルに示された日時に全ユーザもしくは希望するユーザに対して送信する。
【００９２】
以上のように構成された第４の実施形態における情報提供システム１によれば、災害情報以外の情報を提供することもできる。これにより、利便性を向上させることができる。
【００９３】
（第１の実施形態〜第４の実施形態に共通する変形例）
以下、第１の実施形態〜第４の実施形態に共通する変形例について説明する。
第１の実施形態〜第４の実施形態に示す構成は組み合わせて実現されてもよい。
情報提供サーバ１０は、利用者通信装置５０の位置情報を以下のように取得してもよい。例えば、情報提供サーバ１０は、ユーザから住所を送信してもらい位置情報を取得してもよいし、ユーザからアイコンとなる施設や川やダム、観測所などの情報を送信してもらい、その情報から住所の検索を行うことによって位置情報を取得してもよい。
【００９４】
以上説明した少なくともひとつの実施形態によれば、ユーザが所持する通信装置との間でコミュニケーションアプリによりメッセージのやり取りを行うメッセージ送受信部と、通信装置からの問い合わせ、又は、通信装置の位置に応じて、災害時において避難判断を行うための判断材料となる避難支援情報を検索する検索部と、を備え、メッセージ送受信部は、検索結果をメッセージにより通信装置に送信する構成を持つことにより、災害現場において災害情報や避難所の場所などの早期の避難判断を行うための判断材料を簡便に提供することができる。
【００９５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９６】
１００…情報提供装置、１０…情報提供サーバ，１１…メッセージ送受信部，１２…メッセージ解析部，１３…検索指示部，１４…通信部，２０、２０ａ…提供情報保持サーバ，２１…通信部，２２…検索部，２３、２３ａ…提供情報記憶部，３０…災害情報収集サーバ，４０…災害情報提供サーバ，５０…利用者通信装置
【図１】
2020060812.tif 000003
【図２】
2020060812.tif 000004
【図３】
2020060812.tif 000005
【図４】
2020060812.tif 000006
【図５】
2020060812.tif 000007
【図６】
2020060812.tif 000008
【図７】
2020060812.tif 000009
【図８】
2020060812.tif 000010
【図９】
2020060812.tif 000011
【図１０】
2020060812.tif 000012
【図１１】
2020060812.tif 000013
【図１２】
2020060812.tif 000014
【図１３】
2020060812.tif 000015
【図１４】
2020060812.tif 000016
【図１５】
2020060812.tif 000017
【図１６】
2020060812.tif 000018
【図１７】
2020060812.tif 000019
【図１８】
2020060812.tif 000020